(57)【要約】      （修正有）【課題】作業空間が狭小の建物の壁面でも、隣接する建物を汚さないように簡単に洗浄する。【解決手段】洗浄システム１は、壁面３に沿った上下方向に設置可能な左右一対のレール１０と、レール１０の下端に取り付けられ、レール１０を壁面３に沿った左右方向Ｙに移動自在にする車輪１１と、レール１０に沿って昇降可能な洗浄ユニット１２と、を有している。洗浄ユニット１２は、壁面３に向けて洗浄のための液体を噴出する液体噴出部と、液体噴出部の背面側を覆う背面板６１とを有している。【選択図】図１
2011244946.tif 000002
【特許請求の範囲】
【請求項１】
壁面を洗浄する洗浄システムであって、
前記壁面に沿った上下方向に設置可能な左右一対のレールと、
前記レールの下端に取り付けられ、前記レールを前記壁面に沿った左右方向に移動自在にする車輪と、
前記左右一対のレールに沿って昇降可能な洗浄ユニットと、を有し、
前記洗浄ユニットは、
前記壁面に向けて洗浄のための液体を噴出する液体噴出部と、
前記液体噴出部の背面側を覆う背面板と、を有する、洗浄システム。
【請求項２】
前記洗浄ユニットは、前記液体噴出部の側面側を囲んで覆う側面カバーをさらに有し、
前記側面カバーは、前記壁面に僅かな隙間を有して対向或いは接触している、請求項１に記載の洗浄システム。
【請求項３】
前記側面カバーは、前記壁面に接触すると共に前記洗浄ユニットの昇降に伴う前記壁面の凹凸の変化に追従可能で出入自在な接触端部を備えている、請求項２に記載の洗浄システム。
【請求項４】
前記洗浄ユニットは、前記壁面を擦るブラシを有する、請求項１〜３のいずれかに記載の洗浄システム。
【請求項５】
前記洗浄ユニットは、
前記洗浄ユニットの洗浄時の進行方向に沿って往復移動可能又は回転可能な縦ブラシと、
前記洗浄ユニットの洗浄時の進行方向の直角方向に沿って往復移動可能又は回転可能な横ブラシと、を有し、
前記縦ブラシと前記横ブラシは、前記進行方向の前後に並べて設けられている、請求項４に記載の洗浄システム。
【請求項６】
前記液体噴出部は、
前記壁面に洗浄剤を噴出する洗浄剤噴出部と、
前記壁面に洗浄水を噴出する洗浄水噴出部と、を有し、
前記洗浄剤噴出部は、前記洗浄水噴出部よりも前記洗浄ユニットの洗浄時の進行方向側に設けられている、請求項１〜５のいずれかに記載の洗浄システム。
【発明の詳細な説明】
【技術分野】
【０００１】
本発明は、建物の壁面を洗浄する洗浄システムに関する。
【背景技術】
【０００２】
従来より、建物の壁面の洗浄には、例えば柄の先端に回転式のブラシを備えたポリッシャーが用いられている（特許文献１参照。）。この際、作業員は、ポリッシャーの柄を持ち、ブラシを回転させ、当該ブラシにより壁面を擦って洗浄している。
【０００３】
この種の手持ち式の洗浄装置を用いた洗浄作業時には、一般的に洗浄を行う壁面に洗浄装置が届くように、現場にて建物の壁面に足場が作られている。
【先行技術文献】
【特許文献】
【０００４】
【特許文献１】特開平０８−０１０２０４号公報
【発明の概要】
【発明が解決しようとする課題】
【０００５】
しかしながら、建物が密集して作業空間が狭小の場合には、足場を作ることができないため、洗浄作業が困難になる。また、建物が密集しているため、洗浄を行う壁面に隣接する建物にも洗浄液が飛び散り、隣接する建物が汚れる恐れがある。
【０００６】
本発明は、かかる点に鑑みてなされたものであり、作業空間が狭小の壁面でも、隣接する建物を汚さないように簡単に洗浄できる洗浄システムを提供することをその目的とする。
【課題を解決するための手段】
【０００７】
上記目的を達成するための本発明は、壁面を洗浄する洗浄システムであって、前記壁面に沿った上下方向に設置可能な左右一対のレールと、前記レールの下端に取り付けられ、前記レールを前記壁面に沿った左右方向に移動自在にする車輪と、前記左右一対のレールに沿って昇降可能な洗浄ユニットと、を有し、前記洗浄ユニットは、前記壁面に向けて洗浄のための液体を噴出する液体噴出部と、前記液体噴出部の背面側を覆う背面板と、を有する。
【０００８】
本発明によれば、洗浄ユニットを有するレールを壁面に設置し、洗浄ユニットを昇降させたり、レールを壁面に沿った左右方向に移動させることにより、壁面の所望の部分の洗浄を行うことができる。これにより、足場を作らずに簡単に壁面の洗浄を行うことができる。また、洗浄ユニットが背面板を有するため、液体噴出部から噴出した液体が飛散し隣の建物が汚れることを防止できる。
【０００９】
前記洗浄ユニットは、前記液体噴出部の側面側を囲んで覆う側面カバーをさらに有し、前記側面カバーは、前記壁面に僅かな隙間を有して対向或いは接触していてもよい。かかる場合、液体噴出部の側面側から液体が飛散し隣の建物が汚れることを防止できる。
【００１０】
前記側面カバーは、前記壁面に接触すると共に前記洗浄ユニットの昇降に伴う前記壁面の凹凸の変化に追従可能で出入自在な接触端部を備えていてもよい。かかる場合、側面カバーと壁面との間に隙間ができないので、液体噴出部の液体が側面側から飛散することを確実に防止できる。
【００１１】
前記洗浄ユニットは、前記壁面を擦るブラシを有していてもよい。かかる場合、壁面の汚れを十分に落とすことができる。
【００１２】
前記洗浄ユニットは、前記洗浄ユニットの洗浄時の進行方向に沿って往復移動可能又は回転可能な縦ブラシと、前記洗浄ユニットの洗浄時の進行方向の直角方向に沿って往復移動可能又は回転可能な横ブラシと、を有し、前記縦ブラシと前記横ブラシは、前記進行方向の前後に並べて設けられていてもよい。かかる場合、例えば壁面に形成されている上下左右方向の目地などの溝の汚れも適切に落とすことができる。
【００１３】
前記液体噴出部は、前記壁面に洗浄剤を噴出する洗浄剤噴出部と、前記壁面に洗浄水を噴出する洗浄水噴出部と、を有し、前記洗浄剤噴出部は、前記洗浄水噴出部よりも前記洗浄ユニットの洗浄時の進行方向側に設けられていてもよい。かかる場合、洗浄ユニットを移動させることにより、洗浄剤とそれを落とす洗浄水をこの順番で壁面に供給できるので、壁面の洗浄を効率的かつ効果的に行うことができる。
【発明の効果】
【００１４】
本発明によれば、作業空間が狭小の建物の壁面でも、隣接する建物を汚さないように簡単に洗浄できる。
【図面の簡単な説明】
【００１５】
【図１】壁面に設置された洗浄システムの正面図である。
【図２】壁面に設置された洗浄システムの側面図である。
【図３】ガイドレールの断面図である。
【図４】ピンの付いたガイドレールの断面図である。
【図５】洗浄ユニットの斜視図である。
【図６】洗浄ユニットの内部構造を示す断面図である。
【図７】側面カバーの接触端部を取り外した状態の、ブラシ付きの洗浄ユニットを示す斜視図である。
【図８】ブラシ付きの洗浄ユニットの正面図である。
【図９】ブラシ付きの洗浄ユニットの内部構造を示す断面図である。
【図１０】側面カバーの接触端部を取り外した状態の、円柱状の縦ブラシを有する洗浄ユニットを示す斜視図である。
【図１１】円柱状の縦ブラシを有する洗浄ユニットの内部構造を示す断面図である。
【発明を実施するための形態】
【００１６】
以下、図面を参照して、本発明の好ましい実施の形態について説明する。図１及び図２は、本実施の形態に係る洗浄システム１の構成の概略を示す説明図である。図１は、建物２の壁面３に設置された洗浄システム１の正面図であり、図２は、建物２の壁面３に設置された洗浄システム１の側面図である。
【００１７】
洗浄システム１は、建物２の壁面３に沿って上下方向に設置可能な左右一対のレール１０と、レール１０の下端に取り付けられた車輪１１と、壁面３に洗浄のための液体としての洗浄液を供給する洗浄ユニット１２を有している。なお、本実施の形態において、洗浄液は、洗浄剤と水（洗浄水）の混合液である。
【００１８】
レール１０は、複数、例えば３つのレール部材２０、２１、２２が上下方向に連結されて構成されている。上下に隣り合うレール部材同士（レール部材２０とレール部材２２、レール部材２２とレール部材２１）は、板状で細長の連結部材３０によって接続されている。
【００１９】
図２に示すように各レール部材２０〜２２の上部と下部には、レール１０と壁面３との距離を一定にするためのスペーサ４０が設けられている。スペーサ４０は、各レール部材２０〜２２から壁面３側に一定距離突出している。また、図１に示すように各レール部材２０〜２２には、左右のレール片同士を接続する横フレーム４１が設けられている。
【００２０】
車輪１１は、レール１０の下端に設けられた横フレーム４１の下に取り付けられている。車輪１１は、壁面３に沿った水平方向（左右方向Ｙ）の２箇所に設けられている。地面Ｂには、壁面３の左右方向Ｙに沿ったガイドレール５０が設けられている。車輪１１は、このガイドレール５０上に載置され、ガイドレール５０上を回転して左右方向Ｙに移動できる。ガイドレール５０は、図３に示すように中央に突条部５０ａが形成されている。この突条部５０ａは、左右方向Ｙに沿って形成されている。一方、車輪１１は、壁面３の垂直方向（前後方向Ｘ）に並べられた２つのタイヤ１１ａ、１１ｂからなり、この２つのタイヤ１１ａ、１１ｂの間には隙間Ｆが形成されている。この車輪１１の隙間Ｆにガイドレール５０の突条部５０ａが嵌め込まれている。また、ガイドレール５０は、比較的重量のある鋼板等により形成されている。このガイドレール５０の構成により、壁面３に対する前後方向Ｘへの車輪１１のずれを防止している。なお、図４に示すようにガイドレール５０の下面に下に尖って突出するピン５０ｂが設けられていてもよく、かかる場合、ガイドレール５０の前後方向Ｘの動きが規制されるので、車輪１１が前後方向Ｘにずれることをより確実に防止できる。
【００２１】
洗浄ユニット１２は、レール１０の左右のレール片の間に配置されている。洗浄ユニット１２は、例えば図５及び図６に示すように前面が開口した厚みのある方形状の筺体６０を有している。筺体６０は、その背面側（壁面３の反対側）に方形の背面板６１を有している。筺体６０の上下左右には、背面板６１の周縁部に沿った角柱状で枠状の側面カバー６２が設けられている。側面カバー６２の正面側（壁面３側）の部分には、壁面３に接触する接触端部６２ａが形成されている。接触端部６２ａは、側面カバー６２の基部６２ｂから壁面３側に突出し、方形の枠状に形成されている。接触端部６２ａは、例えば軟質のゴムやウレタン等の合成樹脂からなる合成スポンジなどの弾力性のあるものにより構成され、圧力に応じて前後方向Ｘに出入自在であり、洗浄ユニット１２の移動に伴う壁面３の凹凸の変化に追従可能になっている。
【００２２】
例えば筺体６０の上面には、リング６４が取り付けられている。リング６４には、ワイヤ６５が接続され、このワイヤ６５は、図１に示すように最上部のレール部材２０の最上部の横フレーム４１に設けられたモータ等の昇降駆動部６６に接続されている。昇降駆動部６６によりワイヤ６５を上下に移動させることにより、洗浄ユニット１２をレール１０に沿って昇降することができる。
【００２３】
筺体６０には、図５及び図６に示すように壁面３に向けて洗浄液を噴出する液体噴出部７０を有している。液体噴出部７０は、左右方向Ｙに延びる管路８０と、当該管路８０に等間隔に並べられた複数の噴出孔８１を有している。噴出孔８１は、壁面３に正対し水平方向に向けられている。管路８０は、例えば筺体６０の側面カバー６２を通過する洗浄液供給管８２により、例えば屋上に設置される洗浄液供給源８３（図１に示す）に通じている。洗浄液供給源８３から管路８０に、高圧の洗浄液が供給され、各噴出孔８１から壁面３に向けて洗浄液が噴出される。
【００２４】
なお、筺体６０の側面カバー６２は、液体噴出部７０の側面側の周りを囲んで覆っている。また、背面板６１は、液体噴出部７０の背面側を覆っている。
【００２５】
次に、以上のように構成された洗浄システム１を用いた壁面３の洗浄作業について説明する。
【００２６】
先ず、作業員により図１及び図２に示すように洗浄システム１が建物２の壁面３に設置される。初めに建物２の壁面３に沿った地面Ｂにガイドレール５０が設置される。次に、例えば建物２の屋上において各レール部材２０〜２２を下から順に連結しながら、レール１０が屋上から壁面３に沿って下される。車輪１１がガイドレール５０上に下され、各車輪１１の隙間Ｆがガイドレール５０の突条部５０ａに嵌め込まれる。その後、レール１０が壁面３に押し付けられ、レール１０の各スペーサ４０が壁面３に当接されて、レール１０が壁面３に沿って直立する。
【００２７】
次に、壁面３の洗浄が行われる。このとき、洗浄ユニット１２が上から下に移動しながら、図６に示すように洗浄ユニット１２から壁面３に高圧の洗浄液が噴出される。洗浄ユニット１２では、洗浄液供給源８３から管路８０に供給された高圧の洗浄液が、各噴出孔８１から壁面３に向けて噴出される。この洗浄液により、壁面３に付着していた汚れが取り除かれる。
【００２８】
壁面３に洗浄液を噴出しながら、洗浄ユニット１２が下に移動すると、壁面３の左右方向Ｙに幅のある上下方向の帯状の領域が洗浄される。この帯状の領域の洗浄が終了すると、作業員によりレール１０がガイドレール５０に沿って左右方向Ｙにずらされる。その後、再び洗浄ユニット１２が上から下に移動して洗浄液が壁面３に噴出され、所定幅の帯状の領域の洗浄が行われる。この洗浄が繰り返され、壁面３の所望の範囲の洗浄が行われる。
【００２９】
洗浄の終了後、洗浄システム１が建物２から取り外される際には、レール１０が壁面３から離され、その後レール１０が上方に引き上げられ、順次レール部材２０〜２２が切り離されて、レール１０全体が屋上に回収される。
【００３０】
以上の実施の形態によれば、洗浄ユニット１２を有するレール１０を壁面３に設置し、洗浄ユニット１２を昇降させたり、レール１０を壁面３の左右方向Ｙに移動させたりすることにより、壁面３の所望の部分の洗浄を行うことができる。これにより、足場を作らずに簡単に壁面３の洗浄を行うことができる。また、洗浄ユニット１２が背面板６１を有するため、液体噴出部７０から噴出した洗浄液が飛散し隣の建物が汚れることを防止できる。
【００３１】
洗浄ユニット１２は、液体噴出部７０の側面側を囲んで覆う側面カバー６２を有し、当該側面カバー６２は、壁面３に接触しているので、液体噴出部７０から噴出した洗浄液が側方に飛散することも防止できる。よって、液体噴出部７０の洗浄液が側方から飛散して隣の建物を汚すことを防止できる。
【００３２】
側面カバー６２は、洗浄ユニット１２の昇降に伴う壁面３の凹凸の変化に追従可能で出入自在な接触端部６２ａを有しているので、壁面３との間に隙間ができることを防止できる。これにより、液体噴出部７０から噴出した洗浄液が側方に飛散し隣の建物を汚すことを確実に防止できる。なお、以上の実施の形態では、側面カバー６２が壁面３に接触していたが、壁面３との間に３ｍｍ〜１０ｍｍ程度の僅かな隙間を有して対向していてもよい。
【００３３】
また、側面カバー６２のうち、洗浄ユニット１２の下部に位置する部分には、側面カバー６２の内側から外側に通じる貫通孔が形成されていてもよい。当該貫通孔は、複数の位置に形成されてもよい。これにより、液体噴出部７０から壁面３に吹き付けられて当該壁面３を流れ落ちる洗浄液を洗浄ユニット１２と壁面３の間に溜めることなく当該洗浄ユニット１２の下方に流下させることができる。かかる点に鑑みれば、側面カバー６２の接触端部６２ａは、洗浄ユニット１２の下部に対応する部分については当該接触端部６２ａを設けない構成を採用することも可能である。
【００３４】
また、以上の実施の形態では、一つの液体噴出部７０から洗浄液が噴出されていたが、洗浄液を構成する洗浄剤と洗浄水が別の液体噴出部から噴出されるようにしてもよい。この場合、洗浄剤を噴出する液体噴出部が、洗浄水を噴出する液体噴出部よりも、洗浄ユニット１２の洗浄時の進行方向側（下側）に設けられる。
【００３５】
また、洗浄ユニット１２は、壁面３を擦るブラシを有していてもよい。例えば洗浄ユニット１２は、図７〜図９に示すように洗浄ユニット１２の洗浄時の進行方向Ｚ（下方向）に沿って回転可能な縦ブラシ１００と、洗浄ユニット１２の洗浄時の進行方向Ｚの直角方向（左右方向Ｙ）に沿って回転可能な横ブラシ１０１を有している。縦ブラシ１００と横ブラシ１０１は、進行方向Ｚに対し前後に設けられている。横ブラシ１０１は、縦ブラシ１００よりも進行方向Ｚ側である下側に設けられている。
【００３６】
例えば縦ブラシ１００は、円盤状に形成されている。縦ブラシ１００は、筺体６０内の左右方向Ｙに沿って複数個並べて設けられている。筺体６０には、左右方向Ｙに延びる上部フレーム１１０が左右の側面カバー６２間に設けられており、縦ブラシ１００は、上部フレーム１１０の上部に腕部１１１を介して取り付けられている。縦ブラシ１００は、図９に示すように腕部１１１に対して左右方向Ｙの軸周りに回転自在である。また、腕部１１１は、上部フレーム１１０に対して左右方向Ｙの軸周りに回動可能である。これにより、縦ブラシ１００は、壁面３に対し進退可能である。縦ブラシ１００は、例えばばね１１２により壁面３側に付勢されている。縦ブラシ１００は、例えば図示しないモータなどの駆動源により回転駆動できる。
【００３７】
横ブラシ１０１は、端面に傾斜面が形成された円盤状に形成されている。図７及び図８に示すように横ブラシ１０１は、筺体６０内の左右方向Ｙに沿って複数個並べて設けられている。また、横ブラシ１０１は、上下方向に複数段、例えば二段に設けられている。上段の横ブラシ１０１と下段の横ブラシ１０１は、上下方向に重ならないように互い違いに配置されている。また、横ブラシ１０１の端面の傾斜面は、進行方向Ｚ側（下側）より後方側（上側）が突出するように形成されている。つまり横ブラシ１０１は、上面側の径が下面側の径より大きくなるように形成されている。
【００３８】
上段の横ブラシ１０１は、図９に示すように上部フレーム１１０の下部に腕部１２０を介して取り付けられている。上段の横ブラシ１０１は、腕部１２０に対して上下方向の軸周りに回転自在である。また、腕部１２０は、上部フレーム１１０に対し上下方向の軸周りに回動可能である。これにより、上段の横ブラシ１０１は、壁面３に対し進退可能である。
【００３９】
筺体６０には、左右方向Ｙに延びる下部フレーム１２１が上部フレーム１１０の下方に設けられている。下段の横ブラシ１０１は、下部フレーム１２１に腕部１２２を介して取り付けられている。下段の横ブラシ１０１は、腕部１２２に対して上下方向の軸周りに回転自在である。また、腕部１２２は、下部フレーム１２１に対し上下方向の軸周りに回動可能である。これにより、下段の横ブラシ１０１は、壁面３に対し進退可能である。
【００４０】
横ブラシ１０１は、例えばばね１２３により壁面３側に付勢されている。横ブラシ１０１は、図示しないモータなどの駆動源により回転駆動できる。
【００４１】
図７〜図９に示すように筺体６０内の横ブラシ１０１の進行方向Ｚ側である下側には、壁面３に洗浄剤を噴出する洗浄剤噴出部１３０が設けられ、縦ブラシ１００の進行方向Ｚの後方側である上側には、壁面３に洗浄水を噴出する洗浄水噴出部１３１が設けられている。
【００４２】
洗浄剤噴出部１３０は、例えば左右方向Ｙの水平に延びる管路１４０と、当該管路１４０に等間隔に並べられた複数の洗浄剤噴出孔１４１を有している。管路１４０には、洗浄ユニット１２の外部の例えば屋上に設置される洗浄剤供給源に通じる管路１４２が接続されている。
【００４３】
洗浄水噴出部１３１は、例えば左右方向Ｙの水平に延びる管路１５０と、当該管路１５０に等間隔に並べられた複数の洗浄水噴出孔１５１を有している。管路１５０には、洗浄ユニット１２の外部の例えば屋上に設置される洗浄水供給源に通じる管路１５２が接続されている。なお、筺体６０の背面板６１、側面カバー６２などの他の構成は、上記実施の形態と同様であるので、同じ符号を用いて説明を省略する。
【００４４】
洗浄時には、壁面３に対し洗浄剤噴出部１３０から洗浄剤が噴出し、洗浄水噴出部１３１から洗浄水が噴出しつつ、洗浄ユニット１２が進行方向Ｚである下方に移動する。このとき、縦ブラシ１００と横ブラシ１０１は、壁面３に接触して回転する。縦ブラシ１００は、進行方向Ｚに沿った縦方向に回転し、横ブラシ１０１は、進行方向Ｚに直角の横方向に回転する。これにより、壁面３では、先ず洗浄剤が供給され、次に横ブラシ１０１により擦られ、次に縦ブラシ１００により擦られ、最後に洗浄水が供給される。
【００４５】
この例によれば、縦ブラシ１００と横ブラシ１０１によって壁面３が擦られるので、壁面３の汚れを十分に落とすことができる。また、縦ブラシ１００と横ブラシ１０１の向きの異なるブラシにより壁面３が擦られるので、例えば壁面３に形成されている上下左右方向の目地などの溝の汚れも適切に落とすことができる。
【００４６】
洗浄剤噴出部１３０が洗浄水噴出部１３１よりも進行方向Ｚ側に配置されているので、洗浄ユニット１２を移動させることにより洗浄剤とそれを落とす洗浄水をこの順番で壁面３に供給できる。それゆえ、壁面３の洗浄を効率的かつ効果的に行うことができる。また、洗浄剤噴出部１３０が縦ブラシ１００、横ブラシ１０１よりも進行方向Ｚ側である下部に配置され、洗浄水噴出部１３１が縦ブラシ１００、横ブラシ１０１よりも進行方向Ｚの後方側である上部に配置されている。このため、壁面３に洗浄剤を供給した直後にブラシ１００、１０１により壁面３を擦ることができ、壁面３への洗浄剤の乾燥付着を防止できる。また、ブラシ１００、１０１により壁面３を擦った直後に洗浄水を供給し、いわゆるすすぎを行うことができるので、汚れを含む液体が壁面３に乾燥付着することも防止できる。
【００４７】
前記実施の形態において、縦ブラシ１００が円盤状で複数個配置されていたが、図１０及び図１１に示すように縦ブラシ１００は、円柱状で一つ配置されていてもよい。かかる場合、縦ブラシ１００は、腕部１１１に回転自在に取り付けられている。また、腕部１１１は、筺体６０の左右の側面カバー６２に固定されていてもよく、縦ブラシ１００が前記実施の形態の場合と異なり腕部１１１により壁面３に対し進退しなくてもよい。
【００４８】
また、横ブラシ１０１は、円盤状に形成されていてもよい。また、横ブラシ１０１の腕部１２０、１２２は、上部フレーム１１０と下部フレーム１２１にそれぞれ固定されていてもよく、横ブラシ１０１が、前記実施の形態の場合と異なり腕部１２０、１２２により壁面３に対し進退しなくてもよい。なお、他の構成は、前記実施の形態と同様であるので説明を省略する。この例によれば、例えば縦ブラシ１００と横ブラシ１０１の軸構造が単純になるので、縦ブラシ１００と横ブラシ１０１の駆動を簡単な駆動機構で行うことができる。
【００４９】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５０】
以上の実施の形態では、洗浄ユニット１２の縦ブラシ１００と横ブラシ１０１は、回転するものであったが、縦ブラシ１００が洗浄時の進行方向Ｚに沿って往復移動可能なものであり、横ブラシ１０１が洗浄時の進行方向Ｚの直角方向に往復移動可能なものであってもよい。これによっても、縦ブラシ１００と横ブラシ１０１により壁面３を擦り壁面３を適切に洗浄できる。また、洗浄ユニット１２のブラシの数や種類は、上記例に限られず、任意に選択できる。  
【産業上の利用可能性】
【００５１】
本発明は、作業空間が狭小の建物の壁面でも、隣接する建物を汚さないように簡単に洗浄する際に有用である。
【符号の説明】
【００５２】
１  洗浄システム
２  建物
３  壁面
１０  レール
１１  車輪
１２  洗浄ユニット
２０〜２２  レール部材
４０  スペーサ
６１  背面板
７０  液体噴出部
１００  縦ブラシ
１０１  横ブラシ
Ｘ  前後方向
Ｙ  左右方向
Ｚ  進行方向
【図１】
2011244946.tif 000003
【図２】
2011244946.tif 000004
【図３】
2011244946.tif 000005
【図４】
2011244946.tif 000006
【図５】
2011244946.tif 000007
【図６】
2011244946.tif 000008
【図７】
2011244946.tif 000009
【図８】
2011244946.tif 000010
【図９】
2011244946.tif 000011
【図１０】
2011244946.tif 000012
【図１１】
2011244946.tif 000013